(57)【要約】【課題】余剰水の排出に際し、周囲への水の飛散を抑制できる衛生洗浄装置を提供する。【解決手段】開放式タンクは、容器の受水部の上方を覆い、オーバーフロー口から排出された余剰水を容器の受水部に案内するとともに、容器の上方に位置する放出口を有するカバーを有し、開放式タンクのオーバーフロー口から排出された余剰水を放出口から容器の受水部に流入させ、排水口から大便器のボウル部に排出可能とする。【選択図】  図８
2010065455.tif 000002
【特許請求の範囲】
【請求項１】
人体局部に向けて水を吐出する吐水ノズルと、
前記吐水ノズルに水を供給する給水路と、
前記給水路に設けられ水の供給を制御する開閉弁と、
前記開閉弁よりも下流の前記給水路に設けられる開放式タンクであって、
タンク本体と、
前記タンク本体の内部に水を流入させる流入口と、
前記タンク本体の内部の水を前記吐水ノズルへ流出させる流出口と、
前記流入口との間にエアギャップを形成するように設けられ、前記タンク本体の内部の余剰水を外部へ排出するオーバーフロー口と、
を有する開放式タンクと、
前記開放式タンクよりも下流の前記給水路に設けられ、前記流出口から流出した水を前記給水路の下流に供給するポンプと、
通電により機能する電子機能部品と、
大便器の上方に配置され、前記吐水ノズル、前記給水路、前記開閉弁、前記開放式タンク、前記ポンプ、及び前記電子機能部品を収納するケーシングと、
を備えた衛生洗浄装置において、
前記ケーシングの内部で且つ前記オーバーフロー口の下方に、周囲を仕切壁で囲まれた受水部を有する容器が設けられ、
前記容器の一端は、前記大便器のボウル部の上方まで延在された排水口とされ、
前記開放式タンクは、前記容器の受水部の上方を覆い、前記オーバーフロー口から排出された余剰水を前記容器の受水部に案内するとともに、前記容器の上方に位置する放出口を有するカバーを有し、
前記開放式タンクの前記オーバーフロー口から排出された余剰水を前記放出口から前記容器の受水部に流入させ、前記排水口から前記大便器のボウル部に排出可能としたことを特徴とする衛生洗浄装置。
【請求項２】
前記容器は、前記大便器のボウル部内から空気を吸引する経路を形成する脱臭ダクト、及び、前記人体局部に温風を供給する経路を形成する温風ダクトの少なくともいずれかと一体的に形成されたことを特徴とする請求項１記載の衛生洗浄装置。
【請求項３】
前記容器の排水口近傍の仕切壁に、前記排水口の内方に向けたリブが突設されたことを特徴とする請求項１または２に記載の衛生洗浄装置。
【請求項４】
前記ポンプと前記吐水ノズルとの間の給水路に、水を加熱する熱交換器が設けられたことを特徴する請求項１〜３のいずれか１つに記載の衛生洗浄装置。
【発明の詳細な説明】
【技術分野】
【０００１】
本発明は衛生洗浄装置に関し、より具体的には、腰掛便器に腰かけた使用者の「おしり」などを水で洗浄可能とした衛生洗浄装置に関する。
【背景技術】
【０００２】
洋式便器本体の上部に設置され、吐出される洗浄水によって人体を洗浄する洗浄ノズルを備えた衛生洗浄装置において、洗浄ノズルへの水路の途中にリザーブタンクを設けたものが知られている。リザーブタンクの槽体の側壁には排水用切り欠きが設けられており、槽体内の余剰水はこの排水用切り欠きから流出し、樋状排水路に流れ込む。余剰水はさらに樋状排水路に沿って流れた後に、樋状排水路に設けられた排水口より洋式便器本体内に排水される（特許文献１）。
【特許文献１】特開平８−１２０７３３号公報
【発明の開示】
【発明が解決しようとする課題】
【０００３】
ところが、特許文献１に開示された衛生洗浄装置では、余剰水の流量が大きい場合に排水用切り欠きから余剰水が吹き出し、樋状排水路を越えて装置本体内に飛散するおそれがある。装置本体内に飛散した水によって、同じく装置本体内に配置された電子機能部品などが被水すると、衛生洗浄装置の故障の原因となるおそれがある。
【０００４】
本発明はかかる課題の認識に基づいてなされたものであり、余剰水の排出に際し、周囲への水の飛散を抑制できる衛生洗浄装置を提供することを目的とする。
【課題を解決するための手段】
【０００５】
上記課題を解決するために、本発明に係る衛生洗浄装置は、人体局部に向けて水を吐出する吐水ノズルと、前記吐水ノズルに水を供給する給水路と、前記給水路に設けられ水の供給を制御する開閉弁と、前記開閉弁よりも下流の前記給水路に設けられる開放式タンクであって、タンク本体と、前記タンク本体の内部に水を流入させる流入口と、前記タンク本体の内部の水を前記吐水ノズルへ流出させる流出口と、前記流入口との間にエアギャップを形成するように設けられ、前記タンク本体の内部の余剰水を外部へ排出するオーバーフロー口と、を有する開放式タンクと、前記開放式タンクよりも下流の前記給水路に設けられ、前記流出口から流出した水を前記給水路の下流に供給するポンプと、通電により機能する電子機能部品と、大便器の上方に配置され、前記吐水ノズル、前記給水路、前記開閉弁、前記開放式タンク、前記ポンプ、及び前記電子機能部品を収納するケーシングと、を備えた衛生洗浄装置において、前記ケーシングの内部で且つ前記オーバーフロー口の下方に、周囲を仕切壁で囲まれた受水部を有する容器が設けられ、前記容器の一端は、前記大便器のボウル部の上方まで延在された排水口とされ、前記開放式タンクは、前記容器の受水部の上方を覆い、前記オーバーフロー口から排出された余剰水を前記容器の受水部に案内するとともに、前記容器の上方に位置する放出口を有するカバーを有し、前記開放式タンクの前記オーバーフロー口から排出された余剰水を前記放出口から前記容器の受水部に流入させ、前記排水口から前記大便器のボウル部に排出可能としたことを特徴とする。
【０００６】
本発明によれば、開放式タンクから排出される余剰水を、オーバーフロー口の下方に設けられた容器の受水部にて受け、大便器のボウル部に排出するが、この容器の受水部は周囲を仕切壁で囲まれているため、容器外部への水の拡散が防止される。したがって、ケーシング内に余剰水を溢れさせることなく、確実に大便器のボウル部に排出させることができるとともに、ケーシング内に収納された電子機能部品が被水し、故障する事態を抑制することができる。
また、余剰水がオーバーフロー口から排出されて落下し、オーバーフロー口下方の容器の受水部に衝突すると、余剰水の飛散が生じるおそれがあるが、本発明によれば、容器の受水部の上方がカバーで覆われるため、容器の周囲への水の飛散がカバーによって防止され、大便器のボウル部への余剰水の排出を促進させることができる。
【０００７】
本発明の好ましい形態では、前記容器は、前記大便器のボウル部内から空気を吸引する経路を形成する脱臭ダクト、及び、前記人体局部に温風を供給する経路を形成する温風ダクトの少なくともいずれかと一体的に形成される。
【０００８】
本発明によれば、容器が脱臭ダクト及び温風ダクトの少なくともいずれかと一体的に形成されることで、ケーシング内に収納する部材を増加させることなく、オーバーフロー口から排出された余剰水を大便器のボウル部に排出することができる。
【０００９】
本発明の好ましい形態では、前記容器の排水口近傍の仕切壁に、前記排水口の内方に向けたリブが突設される。
【００１０】
本発明によれば、突設されたリブにより排水口近傍の流路が絞られるため、排水口から排出される余剰水の流速が高められる。したがって、排水口から排出された余剰水が、容器の裏面側へ回りこむことを抑制できる。
【００１１】
本発明の好ましい形態では、前記ポンプと前記吐水ノズルとの間の給水路に、水を加熱する熱交換器が設けられる。
【００１２】
本発明によれば、開放式タンクより下流の給水路に熱交換器が設けられるため、熱交換器によって加熱された水が、開放式タンクから余剰水として排出されることはない。すなわち、熱交換器によって無駄に水を加熱することがない。
【発明の効果】
【００１３】
本発明によれば、余剰水の排出に際し、周囲への水の飛散を抑制できる衛生洗浄装置を提供することができる。
【発明を実施するための最良の形態】
【００１４】
以下、図面を参照しつつ本発明の実施形態について説明する。
図１は、本発明の実施の形態に係る衛生洗浄装置１００を備えたトイレ装置１０の外観図である。尚、本実施形態のトイレ装置１０はいわゆる「ロータンク式」であるが、本発明は、大便器（腰掛便器）２００に流す水を制御するバルブ機構を備えた「水道直圧式」にも適用することができる。
【００１５】
本実施形態の衛生洗浄装置１００は、大便器２００の後部上方に設けられた本体部１１０を有する。本体部１１０の筺体を構成するケーシング１２０には、便蓋１３０及び、便蓋１３０によって覆われる図示されない便座が回動自在に軸支されている。
【００１６】
図２は、本実施形態に係る衛生洗浄装置１００の内部構成を表す透視図である。
ケーシング１２０は、ケースカバー１２１とケースプレート１２２とを有する。ケースプレート１２２は平板状に形成されて大便器２００上に載置されており、その前方には吐水ノズル１３０が配設される。このほか、ケースプレート１２２上には、脱臭ユニット１４０、熱交換器１５０、コントローラ１６０、リモコン受信部１６１、着座センサー１６２、給水バルブユニット１７０、開放式タンク１８０など、衛生洗浄を行うために必要となる種々の要素が配設されている。また、ケースカバー１２１の側方には、水道管から水の供給を受ける給水部１９０が設けられている。
【００１７】
吐水ノズル１３０は、大便器２００のボウル部内に進退自在であり、大便器２００に着座した使用者の「おしり」などに水を吐出して洗浄する機能を備える。この吐水ノズル１３０が大便器２００のボウル部内に進出した状態で、通水／止水を切り替える開閉弁を内蔵した給水バルブユニット１７０を通過した水を吐出する。なお、本願明細書において「水」という場合には、冷水のみならず、加熱された温水も含むものとする。
【００１８】
熱交換器１５０は、吐水ノズル１３０から吐出される水を温水にするため、給水バルブユニット１７０から供給される水の加熱を行う。
【００１９】
コントローラ１６０は、リモコン受信部１６１で受信した図示しないリモコンからの信号に基づいて、吐水ノズル１３０の進退や水の吐出量、熱交換ユニット１５０の加熱量等を制御する。
【００２０】
脱臭ユニット１４０は、後に詳述するように、大便器２００のボウル部内の空気を吸引し、脱臭して排気口１４１から排出する役割を有する。脱臭ユニット１４０は、使用者が便座に着座したことを着座センサー１６２が検出すると、脱臭ファン１４２を駆動させ、脱臭ダクト１４３を介してボウル部内の空気の吸引を開始する。
【００２１】
図３は本実施形態に係る脱臭ユニット１４０及び開放式タンク１８０近傍の斜視図、図４は本実施形態に係る脱臭ダクト１４３の分解斜視図、図５は本実施形態に係る脱臭ユニット１４０及び開放式タンク１８０近傍の分解斜視図である。
【００２２】
図３に表したように、ケースプレート１２２の一部に、大便器２００の後方側に向けて切り欠かれた拡張プレート用切欠１２３が設けられている。この拡張プレート用切欠１２３は、大便器２００のボウル部の上方に位置しており、そこには対応した形状を有する拡張プレート３００（図４参照）が嵌め込まれている。
【００２３】
図４に表すように、拡張プレート３００の内部は、後方に立設された後方仕切壁３０１、左右側方にそれぞれ立設された側方仕切壁３０２ａ、３０２ｂにより、ケーシング１２０内に配設されたコントローラ１６０、リモコン受信部１６１などの電子機能部品と仕切られている。さらに、内部に立設された隔壁３０３により、拡張プレート３００内部は、ダクト下ケース３０４と、容器３０５と、に区画されている。このうち、ダクト下ケース３０４は、その前方に前方仕切壁３０６が立設されて四方を囲まれているとともに、底面３０７には導風口３０８が開口している。導風口３０８は大便器２００のボウル部の上方に位置し、多数の小孔が穿設されたフィルタ３０９が装着されており、導風口３０８を通過する空気に含まれる埃の除去が行われる。
【００２４】
一方、容器３０５の底面３０５ａには、後方が後方仕切壁３０１によって仕切られ、左右側方が隔壁３０３、側方仕切壁３０２ｂによって仕切られた受水部３３０が形成されている。容器３０５の前方は開放され、隔壁３０３と側方仕切壁３０２ｂとの間に排水口３０５ｂが形成されている。隔壁３０３及び側方仕切壁３０２ｂには、それぞれ互いに向けてリブ３１０ａ、３１０ｂが突設されており、排水口３０５ｂが絞られている。
【００２５】
ダクト下ケース３０４の上方には、本体部１１０のケースカバー１２１の傾斜に対応した面を有するダクト上ケース４００が装着されて両者は一体となり、内部に空間を有する脱臭ダクト１４３を構成している。さらに、ダクト上ケース４００の天面４０１には、矩形のダクト開口４０２が開設されており、脱臭ダクト１４３内に連通している。
【００２６】
図５に表すように、脱臭ダクト開口４０２には、回転駆動することによって空気を吸引する脱臭ファン１４２が接続されている。すなわち、脱臭ファン１４２は、導風口３０８及び脱臭ダクト１４３を介して大便器２００のボウル部内の空気を吸引する。
【００２７】
脱臭ファン１４２は、大便器２００のボウル部内から吸引した空気を、左側方に配置された脱臭触媒１４４へ向け吹き出す。脱臭触媒１４４は、脱臭ファン１４２によって吹き込まれた空気中の臭気成分を、分解あるいは吸着することで臭気を除去する。脱臭触媒１４４によって臭気が除去された空気は、脱臭ユニット１４０の側面に設けられた脱臭排出口１４１から排出される。図３に表すように、脱臭排出口１４１には、上下に隙間を隔てて配置された複数の板状体によって、下方へ傾斜したスリットが形成されている。これにより、脱臭排出口１４１から排出される空気は斜め下方に向けられるため、使用者の顔面などに排出空気を吹き付けるなどして不快感を与えることがない。
【００２８】
脱臭ダクト１４３とケースプレート１２２との間に形成される隙間には、開放式タンク１８０が配設される。開放式タンク１８０は、吐水ノズル１３０の吐水口から水路中に汚水が浸入した場合にも、その汚水が水道管まで逆流することが無いよう、水路中にいわゆるエアギャップを設ける機能を有する。開放式タンク１８０は、その内部に水を貯留可能であって、給水バルブユニット１７０（図２参照）を通過した水を内部へ流入させる流入口１８１（図５参照）と、内部の水を外部へ排出させる流出口１８２と、を有する。さらに、開放式タンク１８０は横長に構成されており、脱臭ダクト１４３の左側方に流入口１８１が、右側方に流出口１８２が配置される。また、開放式タンク１８０の後方には、ポンプユニット１９１が設けられている。
【００２９】
続いて、さらに図６も参照しつつ、吐水ノズル１３０に供給される水の流れについて説明する。図６は、本実施形態に係るトイレ装置１０の水路構成を表すブロック図である。
【００３０】
水道管５００に接続された止水栓５０１と給水バルブユニット１７０とが、可撓性を有するフレキホース５０２で接続されている。給水バルブユニット１７０は、上流への水の逆流を防ぐ逆止弁１７１や、水中の異物を捕捉するストレーナ１７２、給水圧にかかわらず水の流量を一定に保つ定流量弁１７３、通電により下流への通水／止水を選択的に切り替える電磁弁１７４等を有する。
【００３１】
電磁弁１７４を通過した水は、入口配管５０３を経て、流入口１８１から開放式タンク１８０の内部に流入する。流入した水は開放式タンク１８０の内部に貯留するが、その水位がＨ２を超えると、開放式タンク１８０の前面に設けられたオーバーフロー口１８３から、矢印ＯＦのように余剰水が外部へと流出する（オーバーフロー）。すなわち、流入口１８１とオーバーフロー口１８３との間にエアギャップＡ１が形成され、開放式タンク１８０内部の水位が上昇しても、貯留されている水が流入口１８１まで至ることはない。これによって、開放式タンク１８０から上流への汚水の逆流防止が図られている。また、オーバーフロー口１８３から大便器２００のリム面までには高さＡ２の距離があり、これもエアギャップとして機能しており、ボウル部内で汚水が跳ね、オーバーフロー口１８３から開放式タンク１８０内に浸入してしまう事態を抑制している。
【００３２】
次に、開放式タンク１８０の流出口１８２より下流における水の流れについて説明する。流出口１８２に接続される出口配管５０４の下流には、ポンプ１９１が接続されている。ポンプ１９１は、流出口１８２から開放式タンク１８０内の水を汲み出し、下流へ送るとともに、流量（水勢）の調節も可能とされている。
【００３３】
ポンプ１９１の下流には、熱交換器１５０が設けられている。熱交換器１５０は、例えばシーズヒータなどの加熱源を備えており、上流のポンプ１９１から送られてきた水の加熱を行う。尚、熱交換器１５０は、いわゆる瞬間式、貯湯式のいずれであってもよい。
【００３４】
熱交換器１５０の下流には、切替弁１９２、吐水ノズル１３０が設けられている。熱交換器１５０を通過した水は、切替弁１９２によって、その供給先を吐水ノズル１３０の複数ある吐水口のいずれかに切り替えられる。例えば、使用者が、図示しないリモコン等により「おしり」の洗浄を選択した場合には、コントローラ１６０は、「おしり」の洗浄位置に対応する吐水ノズル１３０の吐水口に対して水が供給先されるよう、切替弁１９２を切り替える。吐水ノズル１３０から吐出される水の水勢および温度は、使用者が好みに応じて変更することが可能であり、使用者はリモコン等によりポンプ１９１の駆動状態や熱交換器１５０の加熱量を調節する。
【００３５】
以上のように、開放式タンク１８０の内部に貯留されている水は、ポンプ１９１によって汲み出されるとともに、汲み出されて吐水ノズル１３０から吐出される流量も使用者が好みに応じて調整することが可能である。したがって、流入口１８１から開放式タンク１８０内に流入する水の流量に対し、ポンプ１９１によって汲み出され流出口１８２から流出する水の流量が相対的に小さい場合には、開放式タンク１８０の内部に貯留されている水の水位が上昇してＨ２を越え、オーバーフロー口１８３から矢印ＯＦのように流出する。この余剰水は大便器２００のボウル部に排出され、大便器２００の排水時にボウル部の水とともに排出される。
【００３６】
ここで、熱交換器１５０は開放式タンク１８０の下流に設けられているため、熱交換器１５０で加熱された水が開放式タンク１８０によって余剰水として排出されてしまうといった無駄が生じることはない。
【００３７】
以下、開放式タンク１８０の構造と、余剰水を大便器２００のボウル部に排出する構造について詳細に説明する。図７は、本実施形態に係る開放式タンク１８０の構造と水の流れを表す模式図であり、図８は、本実施形態に係る開放式タンク１８０からの余剰水の流れを表す断面図である。
【００３８】
図７に表すように、開放式タンク１８０は、パッキンＰ１〜Ｐ３を介設して組み立てられる複数の部材から構成されている。流入口１８１が設けられた入水蓋部材１８４は、パッキンＰ１を介して水密としながら、導水部材１８５の上部を覆う。導水部材１８５は、入水蓋部材１８４から流入する水を矢印Ｆ１のように下方へと導く。さらに、開放式タンク１８０は、導水部材１８５に接続される貯水部材１８６を有する。貯水部材１８６は、矢印Ｆ２のように導水部材１８５から流入する水を、脱臭ダクト１４３の下方をくぐらせて脱臭ダクト１４３の右側方へと導く。また、貯水部材１８６の上方は、パッキンＰ３を介して、流出口１８２が設けられた出水蓋部材１８７によって水密に覆われている。
【００３９】
入水蓋部材１８４は、導水部材１８５の上方の開口に対応する形状を有し、その天面１８４ａから、入口配管５０３が接続される流入口１８１が後方に向けて突設されている。また、流入口１８１の下方（開放式タンク１８０の内側）には、流入口１８１から流入する水を下方に案内する突条部１８４ｂが形成されている。
【００４０】
貯水部材１８６は、所定量の水を貯留可能な箱状部１８６ｂと、箱状部１８６ｂ内に水を導入する筒状部１８６ａと、からなる。筒状部１８６ａは、導水部材１８５と接続され、脱臭ダクト１４３の下方をくぐらせて箱状部１８６ｂに水を導くよう、左右方向に伸延する細長い略円筒状に形成されている。また、箱状部１８６ｂ内は、底面１８６ｃから立設されている高さＨ１の区画壁１８６ｄにより、第１室１８６ｅと第２室１８６ｆとに区画されている。
【００４１】
開口している貯水部材１８６の箱状部１８６ｂの上部は、パッキンＰ３を介して、出水蓋部材１８７によって水密に覆われている。出水蓋部材１８７は、その天面１８７ａから、出口配管５０４が接続される流出口１８２が後方に向けて突設されている。さらに、筒状の吸引筒部１８７ｂが貯水部材１８６の内部の第２室１８６ｆ内に位置するように伸びており、吸引筒部１８７ｂは流出口１８２と連通している。
【００４２】
また、図７（ｃ）に表すように、開放式タンク１８０の貯水部材１８６の前面を構成する前方壁１８６ｇは、第２室１８６ｆの底面１８６ｃから高さＨ２の位置において、前方側に折曲されて折曲部１８６ｈを有している。さらに、折曲部１８６ｈと、出水蓋部材１８７の前方側に形成されたカバー部１８７ｃと、の間に形成されるオーバーフロー空間１８８に連通するよう、折曲部１８６ｈの上方にはオーバーフロー口１８３が、折曲部１８６ｈの下端には放出口１８６ｉが開放されている。
【００４３】
図８に表すように、開放式タンク１８０は、容器３０５の後方で、且つ、オーバーフロー口１８３が容器３０５の底面３０５ａより上方に位置するように配置される。ここで、容器３０５の底面３０５ａから折曲部１８６ｈの上端までの高さはＡ２に設定されている。そして、折曲部１８６ｈは、後方仕切壁３０１の上方から容器３０５内に臨出するよう配置される。すなわち、折曲部１８６ｈの下端に設けられた放出口１８６ｉは、後方仕切壁３０１の上端より下方に位置している。
【００４４】
以上のように構成された開放式タンク１８０において、入口配管５０３（図７（ａ）参照）によって供給されてきた水は、入口蓋部材１８４の流入口１８１から内部に流入する。内部に流入した水は、導入部材１８５によって脱臭ダクト１４３の下方に導かれ、さらに貯水部材１８６の筒状部１８６ａを経て、箱状部１８６ｂ内部の第１室１８６ｅに導かれる。
【００４５】
第１室１８６ｅにおいて、貯留している水の水位がＨ１を越えると、水は区画壁１８６ｄを乗り越えて第２室１８６ｆ内に流入し、次に第２室１８６ｆ内で貯留する。ここで、出口配管５０４に接続されたポンプ１９１が駆動することにより、第２室１８６ｆ内に貯留している水が矢印Ｆ３のように吸引筒部１８７ｂで吸引される。
【００４６】
上述のように、流入口１８１から開放式タンク１８０内に流入する水の流量に対し、ポンプ１９１で汲み出されて流出口１８２から流出する水の流量が相対的に小さい場合には、第２室１８６ｆ内に貯留する水の水位が上昇する。そして、その水位がＨ２を越えたとき、水面が前方壁１８６ｇの上端を乗り越え、矢印ＯＦのようにオーバーフロー口１８３を経て放出口１８６ｉから、余剰水として開放式タンク１８０外へ流出する。すなわち、前方壁１８６ｇの上端と、入水蓋部材１８４の突条部１８４ｂの下端との間にエアギャップが形成されおり、突条部１８４ｂを介した水の逆流を防止している。
【００４７】
放出口１８６ｉから流出した余剰水ＯＦが流入する容器３０５の受水部３３０は、図４に表したように、隔壁３０３、側方仕切壁３０２ｂ、後方仕切壁３０１によってその周囲を囲まれている。したがって、余剰水ＯＦをケーシング１２０内に溢れさせることなく、確実に大便器２００のボウル部２１０に排出することができる。また、容器３０５は、脱臭ファン１４２がボウル部２１０内から空気を吸引する経路を構成する脱臭ダクト１４３と一体的に形成されているため、部品点数を削減することができる。
【００４８】
余剰水ＯＦは、図８に表したように、容器３０５の底面３０５ａからＡ２の高さにあるオーバーフロー口１８３から流出し、落下して放出口１８６ｉから開放式タンク１８０外へ出て下方の底面３０５ａに衝突する。この衝突時に、余剰水ＯＦの飛散が生じるおそれがある。また、オーバーフロー口１８３からの流出の水勢が強いような場合にも、飛散が生じるおそれがある。これに対して、本実施形態においては、オーバーフロー口１８３の近傍における容器３０５の上方は、出水蓋部材１８７のカバー部１８７ｃによって覆われており、これにより、容器３０５外への余剰水ＯＦの飛散が抑制されている。したがって、コントローラ１６０等の電子機能部品が飛散した余剰水ＯＦで被水するなどして、衛生洗浄装置１００の故障を誘引する事態を抑制することができる。
【００４９】
容器３０５内に流入した余剰水ＯＦは、容器３０５の前方に開放されている排水口３０５ｂから、大便器２００のボウル部２１０へ排出される。上述のように、排水口３０５ｂはリブ３１０ａ、３１０ｂが突設されて流路が絞られ、排水口３０５ｂから排出される余剰水ＯＦの流速が高められる構成となっている。したがって、余剰水ＯＦが容器３０５の底面３０５ａを伝って、底面３０５ａの裏側へ回り込むことを防止することができる。
【００５０】
また、本実施形態においては、開放式タンク１８０から流出する余剰水を、開放式タンク１８０とは別体の容器３０５により受けて、大便器２００のボウル部２１０に排出する構成を採用している。そして、容器３０５は、脱臭ダクト１４３と一体の要素として形成されている。こうすることにより、ボウル部２１０の上に延出した部分の下面を「隙間」のない連続的な面とすることができる。つまり、開放式タンク１８０から余剰水を排出する排水口と、脱臭ダクト１４３により空気を吸引する吸引口と、は、いずれもボウル部２１０に臨むようにその上方に設ける必要がある。しかし、脱臭ダクト１４３と容器３０５とを別体の要素としてそれぞれ形成すると、これらの間に「隙間」が形成されることとなる。大便器２００を使用する際には、例えば小用のときや、吐水ノズル１３０による吐水のときなどに、汚水などが飛散する。衛生洗浄装置のケーシング１２０の下面に隙間があると、飛散した汚水が侵入してしまい、清潔性を維持することが容易でない。
【００５１】
これに対して、本実施形態においては、図４などに表したように、脱臭ダクト１４３と、容器３０５と、を一体化し、これらの間に隙間が生じないようにしている。その結果として、衛生洗浄装置のケーシング１２０の下面に隙間などがなく、汚水などが付着しても
拭き取って清潔な状態を維持できる。つまり、清潔性を確保した衛生洗浄装置を提供できる。
【００５２】
また、本実施形態においては、衛生洗浄装置１００のケーシング１２０に設けられた給水バルブユニット１７０から給水された水を受ける開放式タンク１８０は、脱臭ダクト１４３の後方の下部を左側から右側へと延在し、脱臭ダクト１４３の右側に設けられた容器３０５に余剰水を排出する構造とされている。つまり、開放式タンク１８０からの余剰水を排出する容器３０５は、脱臭ダクト１４３の右側すなわちケーシング１２０の中央により近い位置に配置されている。こうすることにより、図８に表したように、容器３０５から排出される余剰水の排水口を、大便器２００のボウル部２１０の側壁となるリム２１２からより遠ざけることができる。
【００５３】
これは、衛生洗浄装置１００のケーシング１２０の前端のボウル部２１０への延出量は、ケーシング１２０の中央（吐水ノズル１３０の位置）に近いほど大きいからである。つまり、ケーシング１２０の前端は、ケーシング１２０の左右端部においては、ボウル部２１０の上にあまり突出せず、ケーシング１２０の中央においてボウル部２１０の上に最も突出している。そして、本実施形態においては、容器３０５を脱臭ダクト１４３と吐水ノズル１３０との間に配置し、脱臭ダクト１４３の後方下方で開放式タンク１８０を左右に延在させることで余剰水を容器３０５に排出させる構造を採用している。この構造によれば、図８に表したように、大便器２１０のリム２１２から遠い位置で余剰水をボウル部２１０に落下させることができる。こうすることにより、排出された余剰水が容器３０５の下面を伝わって大便器２００の上面と容器３０５との隙間に侵入することを抑制できる。つまり、ケーシング１２０と大便器２００との間に水が侵入することにより発生する臭気の発生などを抑制し、清潔な状態を維持できる衛生洗浄装置を提供できる。
【００５４】
以上、具体例を参照しつつ、本発明の実施の形態について説明した。しかし、本発明は、これらの具体例に限定されるものではない。上記実施例では、容器３０５を、大便器２００のボウル部２１０から空気を吸引する経路を構成する脱臭ダクト１４３の一部と一体的に形成して拡張プレート３００とし、部品点数を削減している。しかし、本発明はこれに限られず、使用者の「おしり」等に乾燥用の空気を供給する経路を構成する温風ダクトと一体的に形成するなどしても、部品点数の削減が可能となる。
【００５５】
本発明の衛生洗浄装置に含まれる各要素については、当業者が適宜設計変更することにより本発明を同様に実施し、同様の効果を得ることができるものも本発明の要旨を含む限り、本発明の範囲に包含される。
【図面の簡単な説明】
【００５６】
【図１】本発明の実施形態に係る衛生洗浄装置を備えたトイレ装置の外観図である。
【図２】本実施形態に係る衛生洗浄装置の内部構成を表す透視図である。
【図３】本実施形態に係る脱臭ユニット及び開放式タンク近傍の斜視図である。
【図４】本実施形態に係る脱臭ダクトの分解斜視図である。
【図５】本実施形態に係る脱臭ユニット及び開放式タンク近傍の分解斜視図である。
【図６】本実施形態に係るトイレ装置の水路構成を表すブロック図である。
【図７】本実施形態に係る開放式タンクの構造と水の流れを表す模式図である。
【図８】本実施形態に係る開放式タンクからの余剰水の流れを表す断面図である。
【符号の説明】
【００５７】
１０ トイレ装置、１００ 衛生洗浄装置、１１０ 本体部、１２０ ケーシング、１２１  ケースカバー、１２２  ケースプレート、１２３  拡張プレート用切欠、１３０ 吐水ノズル、１４０ 脱臭ユニット、１４２  脱臭ファン、１４３  脱臭ダクト、１４４  脱臭触媒、１５０ 熱交換器、１６０ コントローラ、１７０ 給水バルブユニット、１８０ 開放式タンク、１８４  入水蓋部材、１８５  導水部材、１８６  貯水部材、１８６ｉ  排出口、１８７  出水蓋部材、１９０ 給水部、２００ 大便器、２１０ ボウル部、３００ 拡張プレート、３０４  ダクト下ケース、３１０ａ、３１０ｂ リブ、３３０  受水部、４００ ダクト上ケース、５００ 水道管
【図１】
2010065455.tif 000003
【図２】
2010065455.tif 000004
【図３】
2010065455.tif 000005
【図４】
2010065455.tif 000006
【図５】
2010065455.tif 000007
【図６】
2010065455.tif 000008
【図７】
2010065455.tif 000009
【図８】
2010065455.tif 000010